(57)【要約】 【課題】  印刷層の密着性に優れ、熱変形が少なく、且つ多様な装飾効果を発揮することができる台板装飾シートを提供する。【解決手段】  透明の樹脂製基板１の裏面に透明インキ印刷層３を形成し、紙製シート２の表面に箔押し印刷層４を形成したうえに、透明インキ印刷層３と箔押し印刷層４とを接着剤５により接合して一体の台板装飾シートとなす。また、紙製シート２の表面にインク印刷層６を形成し、このインク印刷層６の上に箔押し印刷層４を部分的に形成し、これら印刷層６、４の上に透明の樹脂製基板１を接着剤５により接合して一体の台板装飾シートとなす。箔押し印刷層４を、金属箔、ホログラム箔などが箔押しされたものとすることができる。【選択図】    図１
2006055417.tif 000002
【特許請求の範囲】
【請求項１】
裏面に透明インキ印刷層が形成された透明の樹脂製基板と、表面に箔押し印刷層が形成された紙製シートとが、前記透明インキ印刷層と箔押し印刷層とを介して接着剤により接合されていることを特徴とする遊技機の台板装飾シート。
【請求項２】
表面にインク印刷層が形成され、このインク印刷層の上に箔押し印刷層が形成された紙製シートの当該表面に、樹脂製基板の裏面が接着剤により接合されていることを特徴とする遊技機の台板装飾シート。
【請求項３】
箔押し印刷層は、金属箔又はホログラム箔が箔押しされたものである請求項１に記載の遊技機の台板装飾シート。
【発明の詳細な説明】
【技術分野】
【０００１】
本発明は、遊技機の台板装飾シートの改良に関するものである。
【背景技術】
【０００２】
パチンコ機の正面の台板には、セルロイドなどの透明樹脂製基板に所要の図柄をオフセット印刷などにより形成などした台板装飾シートが貼付されて、遊技者の視覚を刺激して遊技の興趣を盛り上げる。このような台板装飾シートを鏡面を呈するものとする場合には、樹脂製基板の裏面に銀などの鏡面インクを用いて印刷を施すことにより可能である。しかし、樹脂製基板の裏面は装飾効果を高めるためにできるだけ平坦に形成されるので樹脂製基板と印刷層の密着性が弱く、ルーターを取付けたり多数の釘を打ち付けたりした場合には印刷層が剥離を引き起こして、パチンコ機の装飾機能を損なうという問題がある。
また、紙、ポリエステルフィルム等に銀蒸着したシートを透明樹脂製基板に貼りあわせたものを用いることもができるが、蒸着法では部分的に印刷層を形成することができない、コストが高い、ロットの単位が大きい、納期が長い等の問題がある。
【０００３】
特許文献１には、透明樹脂製基板の裏面にアルミ箔などの金属箔を熱転写により形成した台板装飾シートが開示されている。しかしながら、前記したように透明樹脂製基板は平坦であるので印刷層と金属箔との密着性が弱く印刷層が剥がれやすいという問題がある。さらに、セルロイドなどの樹脂は熱に弱くこのような透明樹脂製基板に金属箔を熱転写した場合には、熱転写時の加熱によって透明樹脂製基板が変形してしまい、よって、パチンコ機の台板装飾シートとして用いることはできない。
また、以上のような印刷層を一層のみ形成したものは、装飾状態に複雑な変化を付けることができず、遊技機の装飾効果において必ずしも十分であるとはいえない。
【特許文献１】特開平１１−４７３６２号公報  (図１)
【発明の開示】
【発明が解決しようとする課題】
【０００４】
本発明は上記した従来の問題点を解決して、印刷層の密着性に優れ、熱変形が少なく、且つ多様な装飾効果を発揮することができる台板装飾シートを提供するためになされたものである。
【課題を解決するための手段】
【０００５】
上記の課題を解決するためになされた本発明の台板装飾シートは、裏面に透明インキ印刷層が形成された透明の樹脂製基板と、表面に箔押し印刷層が形成された紙製シートとが、前記透明インキ印刷層と箔押し印刷層とを介して接着剤により接合されていることを特徴とするものであり、また、表面にインク印刷層が形成され、このインク印刷層の上に箔押し印刷層が形成された紙製シートの当該表面に、樹脂製基板の裏面が接着剤により接合されていることを特徴とするものである。なお、上記した台板装飾シートにおいて、箔押し印刷層を、金属箔又はホログラム箔が箔押しされたものとすることができる。
【発明の効果】
【０００６】
本発明は、熱に弱い樹脂製基板に代えて紙製シートに箔押し印刷層を形成するようにしたので、箔の熱転写においてシートが加熱変形することがなく、且つ、押圧によりシートと箔の密着性を向上させることができる。また、紙製シートの表面にインク印刷層を形成し、このインク印刷層の上に箔押し印刷層を形成することによっても、シートが加熱変形されることなく、箔押し印刷層の密着性を向上させることができる。以上のような紙製シートを透明な樹脂製基板と接合して得た台板装飾シートは、変形が少なく、また、釘打ちなどによっても箔押し印刷層が剥がれることがない。また、箔押しによって、部分的なデザインを施すことができるのでコストの低減が図れる。印刷法が簡便であるので、納期の短縮、ロット単位の低減を図ることができる。さらに、インク印刷層と箔押し印刷層の重畳効果により従来にないきらびやかな装飾効果を発揮させることができる。
【発明を実施するための最良の形態】
【０００７】
以下に図面を参照しつつ本発明の好ましい実施形態を説明する。
図１は、本発明に係る台板装飾シートの第１の実施形態を示す図であって、１は、セルロイド、キャブロイド、ＰＥＴなどからなる透明の樹脂製基板、２は上質紙、コート紙などの紙製シートである。
樹脂製基板１には、透明インクを用いてオフセット印刷、シルクスクリーン印刷などにより透明インク印刷層３が形成されている。なお透明インクにおける透明とは、完全な透明を含むことはもちろんのこと下地の色がわずかに透けて見える程度の半透明をも含むものである。
【０００８】
一方、紙製シート２には、文字、図柄、模様などを構成する箔押し印刷層４が箔押し（ホットスタンプ）により熱転写されている。箔押しとは、熱を加えた版で箔を製品に押し当てることにより色材等を転写する印刷法であって、版として刻印の如き治具を用いたときには製品の表面の一部に箔を印刷することができるし、ロール型箔押し印刷法を用いた場合には製品の一面全体を箔で覆うこともできる。箔押しは、一般に１７５〜２１０℃の温度で、６ｔ／ｃｍ２程度のプレス圧を数秒間加えることにより行われる。
【０００９】
箔は、例えばフィルム層、色材層、接着層からなるものであって、このような箔として、予め絵柄をプリントした転写箔、金箔、銀箔、アルミ箔などの金属箔や、ホログラム箔、パール箔などの特殊な箔を用いることができる。転写箔を用いた場合には製品に模様やイラストなど予め容易された図柄を印刷することができる。金属箔を用いた場合には、金色、銀色などに輝く鏡面を得ることができる。ホログラム箔を用いた場合には、立体的な図柄を出現させることができ、パール箔を用いた場合には光が七色に流れるように変化する模様を出現させることができる。
【００１０】
そして、透明の樹脂製基板１の裏面に形成された透明インキ印刷層３と、紙製シート２の表面に形成された箔押し印刷層４とを酢酸ビニール系などの接着剤５により接合することにより、図１に示すような一枚の台板装飾シートとすることができる。このような台板装飾シートにおいて、箔押し印刷層４と透明インク印刷層３の模様、図柄を物語りの風景や登場人物等によって観念的に統一させたり、意匠的に統一させたりすることによって、装飾効果が重畳的に発揮されて従来にないきらびやかな審美性を呈することができる。
【００１１】
図２は、台板装飾シートの第２の実施形態を示す図であって、紙製シート２にはインク印刷層６が形成され、さらにその上に箔押し印刷層４が部分的に印刷されている。そして、インク印刷層６および箔押し印刷層４の上に接着剤５が塗布などされて透明の樹脂製基板１が紙製シート２と一体に接合されている。なお、この場合において、インク印刷に用いられるインクは透明である必要はなく不透明であってもよい。また、箔としてパール箔を用いた場合には、パール箔は半透明であってインク印刷層６の上に重ねて模様を出現させることができるので、インク印刷層６の全面にパール箔の箔押し印刷層４を形成することができる。
以上のような台板装飾シートは、インク印刷層６の上に部分的に箔押しをすることができるので、全面に箔押しをする場合と比べて、コストが低い、ロットの単位を小さくできる、納期を短縮できる等のメリットがある。また、第１の実施形態と同様に、箔押し印刷層４と透明インク印刷層３の重畳効果により従来にないきらびやかな装飾効果を発揮することができる。
【００１２】
以上説明したように、本発明においては樹脂製基板に箔押し印刷することがないので、台板装飾シートが変形を受けたり箔押し印刷層が剥がれたりすることがない。また、インク印刷層と箔押し印刷層の重畳効果により従来にないきらびやかな装飾効果を発揮させることができるという大きな利点を有する。
【図面の簡単な説明】
【００１３】
【図１】第１の実施形態の台板装飾シートの構造を示す断面図である。
【図２】第２の実施形態の台板装飾シートの構造を示す断面図である。
【符号の説明】
【００１４】
１  樹脂製基板
２  紙製シート
３  透明インク印刷層
４  箔押し印刷層
５  接着剤
６  インク印刷層
【図１】
2006055417.tif 000003
【図２】
2006055417.tif 000004